(57)【要約】自動運転車両２００は、通信装置２２０、生体情報取得部２４０、及び自動運転制御ユニット２５０を備える。通信装置２２０は、生体情報取得部２４０で取得した生体情報を外部機器に送信するとともに、送信した生体情報に対する属性情報を含む応答信号を受信する。自動運転制御ユニット２５０は、受信した応答信号に含まれる属性情報に基づいて形成された経路情報に応じた自動運転を実行する。
2018230584.tif 000002
【特許請求の範囲】
【請求項１】
利用者の生体情報を取得する生体情報取得部と、
移動体の自動運転を実行する自動運転制御部と、
前記生体情報を外部機器に送信するとともに、送信した前記生体情報に対する属性情報を含む応答信号を前記外部機器から受信する通信部と、
前記自動運転制御部は、前記応答信号に含まれる前記属性情報に基づいて形成された経路情報に応じた自動運転を実行する、移動体。
【請求項２】
前記属性情報は、前記利用者の診断結果情報及び追加診断要否情報の少なくとも一方に応じた位置情報を含み、
前記自動運転制御部は、前記通信部で受信した前記属性情報に含まれる前記位置情報の中から経由地を選択する、
請求項１に記載の移動体。
【請求項３】
前記外部機器との相互認証により前記生体情報取得部が取得した生体情報を前記外部機器に連続送信する連続接続提供部を備える、
請求項２に記載の移動体。
【請求項４】
前記属性情報及び経路情報に基づいて、前記移動体の経路上に他の移動体を誘導する誘導情報を生成する誘導部を備え、
前記通信部は、前記誘導情報を外部に送信する、
請求項２に記載の移動体。
【請求項５】
前記自動運転制御部は、前記生体情報取得部が動作している間、前記移動体を停止させ、または徐行させる、
請求項１〜４のうちのいずれか１項に記載の移動体。
【請求項６】
前記属性情報に基づいて、前記利用者に対して表示する情報を制御する属性表示制御部を備える、
請求項１〜５のうちのいずれか１項に記載の移動体。
【請求項７】
前記通信部によらず、一次属性を判定する一次属性判定部を備える、
請求項１〜６のうちのいずれか１項に記載の移動体。
【請求項８】
利用者の生体情報を取得する生体情報取得部と、
移動体の自動運転を実行する自動運転制御部と、
前記生体情報を外部機器に送信するとともに、送信した前記生体情報に対する属性情報を含む応答信号を前記外部機器から受信する通信部と、
を備えた移動体と通信可能に接続される管理システムであって、
前記通信部から受信した前記生体情報をもとに前記生体情報に属性を付与するとともに、属性情報を含む応答信号を生成する応答生成部と、
前記生体情報に対応した利用者情報を取得する利用者情報取得部と、
前記応答信号を、前記通信部に送信する送信部と、
を備える、管理システム。
【請求項９】
前記属性情報に基づき、利用可能な施設の施設情報を参照する施設情報参照部を備える、請求項８に記載の管理システム。
【請求項１０】
前記属性情報に基づき、利用可能な施設に対応した通信先に照会信号を送信する照会信号送信部と、
前記照会信号に対応した照会応答を前記通信先から受信し、前記照会応答に対応する前記施設情報を、前記通信部に送信する施設情報送信部と、
を備える、請求項９に記載の管理システム。
【請求項１１】
前記通信部からの前記生体情報の連続受信可否を判定する連続受信判定部と、
前記連続受信判定部が連続受信可能と判定した状態において、受信した前記生体情報を変換し、外部機器との共有可能部に書き込む信号変換部と、
前記共有可能部に対する外部機器のアクセスを許可する接続許可部と、
を備える請求項８に記載の管理システム。
【請求項１２】
前記通信部からの前記生体情報を所定期間にわたって記録する信号保持部と、
前記信号保持部が記録した生体信号履歴を前記通信先に送信する履歴送信部を備える、請求項１０に記載の管理システム。
【発明の詳細な説明】
【技術分野】
【０００１】
本発明は、移動体及び管理システムに関する。
本願は、２０１７年６月１６日に、日本に出願された特願２０１７−１１８９１７に基づき優先権を主張し、その内容をここに援用する。
【背景技術】
【０００２】
車両の乗員の健康を管理するシステムとして、従来、乗員の身体情報と活動状況に基づいて、乗員に対してアドバイスを報知する健康管理支援システムがある（例えば、特許文献１参照）。この健康管理支援システムでは、乗員の身体情報を検知するとともに、乗員に対するアドバイスを行うことにより、乗員の健康を管理することができる。
【先行技術文献】
【特許文献】
【０００３】
【特許文献１】特開２００８−２３４００９号公報
【発明の概要】
【発明が解決しようとする課題】
【０００４】
しかしながら、上記特許文献１に開示された健康管理支援システムでは、車両に一名で乗車している場合、車両を停止させて身体情報を取得させる必要がある。一方、運転中にも身体情報を取得可能な構成である場合、身体情報の種類が限定的となるため、乗員の健康を把握するために十分な情報が取得できない場合がある。【０００５】
本発明の課題は、利用者の身体状態を迅速かつ十分に取得して伝達することに寄与できる移動体及び管理システムを提供することである。
【課題を解決するための手段】
【０００６】
（１）：利用者の生体情報を取得する生体情報取得部と、移動体の自動運転を実行する自動運転制御部と、前記生体情報を外部機器に送信するとともに、送信した前記生体情報に対する属性情報を含む応答信号を前記外部機器から受信する通信部と、前記自動運転制御部は、前記応答信号に含まれる前記属性情報に基づいて形成された経路情報に応じた自動運転を実行する、移動体である。【０００７】
（２）：（１）の移動体であって、前記属性情報は、前記利用者の診断結果情報及び追加診断要否情報の少なくとも一方に応じた位置情報を含み、前記自動運転制御部は、前記通信部で受信した前記属性情報に含まれる前記位置情報の中から経由地を選択するものである。【０００８】
（３）：（２）の移動体であって、前記外部機器との相互認証により前記生体情報取得部が取得した生体情報を前記外部機器に連続送信する連続接続提供部を備えるものである。【０００９】
（４）：（２）の移動体であって、前記属性情報及び経路情報に基づいて、前記移動体の経路上に他の移動体を誘導する誘導情報を生成する誘導部を備え、
前記通信部は、前記誘導情報を外部に送信するものである。【００１０】
（５）：（１）から（４）のいずれかの移動体であって、前記自動運転制御部は、前記生体情報取得部が動作している間、前記移動体を停止させ、または徐行させるものである。【００１１】
（６）：（１）から（５）のいずれかの移動体であって、前記属性情報に基づいて、前記利用者に対して表示する情報を制御する属性表示制御部を備えるものである。【００１２】
（７）：（１）から（６）のいずれかの移動体であって、前記通信部によらず、一次属性を判定する一次属性判定部を備えるものである。【００１３】
（８）：利用者の生体情報を取得する生体情報取得部と、移動体の自動運転を実行する自動運転制御部と、前記生体情報を外部機器に送信するとともに、送信した前記生体情報に対する属性情報を含む応答信号を前記外部機器から受信する通信部と、を備えた移動体と通信可能に接続される管理システムであって、前記通信部から受信した前記生体情報をもとに前記生体情報に属性を付与するとともに、属性情報を含む応答信号を生成する応答生成部と、前記生体情報に対応した利用者情報を取得する利用者情報取得部と、前記応答信号を、前記通信部に送信する送信部と、を備える、管理システムである。【００１４】
（９）：（８）の管理システムであって、前記属性情報に基づき、利用可能な施設の施設情報を参照する施設情報参照部を備えるものである。【００１５】
（１０）：（９）の管理システムであって、前記属性情報に基づき、利用可能な施設に対応した通信先に照会信号を送信する照会信号送信部と、前記照会信号に対応した照会応答を前記通信先から受信し、前記照会応答に対応する前記施設情報を、前記通信部に送信する施設情報送信部と、を備えるものである。【００１６】
（１１）：（８）の管理システムであって、前記通信部からの前記生体情報の連続受信可否を判定する連続受信判定部と、前記連続受信判定部が連続受信可能と判定した状態において、受信した前記生体情報を変換し、外部機器との共有可能部に書き込む信号変換部と、前記共有可能部に対する外部機器のアクセスを許可する接続許可部と、備えるものである。【００１７】
（１２）：（１０）の管理システムであって、前記通信部からの前記生体情報を所定期間にわたって記録する信号保持部と、前記信号保持部が記録した生体信号履歴を前記通信先に送信する履歴送信部を備えるものである。【００１８】
（１）、（８）では、移動体は、生体情報を外部機器に送信するとともに、外部機器から受信する属性情報に基づく経路情報に応じた自動運転を実行する。このため、外部機器を医師などが操作することにより、利用者の生体情報に基づいて、利用者がとる処置、例えば病院に行く処置や投薬する処置などの必要性を判定して、利用者の生体情報に応じて移動できる。したがって、利用者の身体状態を迅速かつ十分に取得して伝達することができる。
（２）では、自動運転制御部は、利用者の診断結果情報及び追加診断要否情報の少なくとも一方に応じた位置情報の中から経由地を選択する。このため、利用者が向かい際に適切な施設を経由できる。
（３）、（１１）では、外部機器との相互認証により生体情報取得部が取得した生体情報を外部機器に連続送信する。このため、利用者の生体情報、さらには健康状態を随時認識できる。
（４）では、属性情報及び経路情報に基づいて、経路上に他の移動体を誘導する誘導情報を生成する。このため、例えば利用者が緊急性の高い疾病状態にあるときに、他の移動体、例えば医療車両を早期に出動させることができる。
（５）では、自動運転制御部は、生体情報取得部が動作している間、前記移動体を停止させ、または徐行させる。このため、利用者の生体情報を精度よく取得することができる。
（６）では、属性情報に基づいて、利用者に対して表示する情報を制御する。このため、利用者に応じた属性情報を表示できる。
（７）では、一次属性を判定する一次属性判定部を備える。このため、移動体の内部において、利用者の一時的な属性を判定できる。
（９）では、利用者の属性情報に基づき、利用可能な施設の施設情報を参照する施設情報参照部を備える。このため、利用者に応じた施設を選択できる。
（１０）では、照会応答に対応する施設情報を、移動体の通信部に送信する。このため、利用者に応じた施設を移動体、例えば自動運転車両に提供できる。
（１２）では、信号保持部が記録した生体信号履歴を通信先に送信する。このため、利用者に応じた施設を移動体、例えば自動運転車両に提供できる。
【図面の簡単な説明】
【００１９】
【図１】第１実施形態の医療ネットワークシステムの構成図である。
【図２】外部端末の構成図である。
【図３】自動運転車両の構成図である。
【図４】送信データを説明する説明図である。
【図５】第１実施形態の生体情報処理の手順を示すフローチャートである。
【図６】第１実施形態の外部端末処理の手順を示すフローチャートである。
【図７】第２実施形態の医療ネットワークシステムの構成図である。
【図８】第２実施形態の生体情報処理の手順を示すフローチャートである。
【図９】第２実施形態の外部端末処理の手順を示すフローチャートである。
【図１０】第２実施形態の病院案内処理の手順を示すフローチャートである。
【図１１】目的地候補となる病院のデータを説明する説明図である。
【図１２】自動運転車両が走行可能なマップを説明する説明図である。
【図１３】第３実施形態の医療ネットワークシステムの構成図である。
【図１４】第３実施形態の自動運転車両の構成図である。
【図１５】第３実施形態の管理サーバの構成図である。
【図１６】第３実施形態の医療ネットワークシステムにより実行される処理を示すシーケンス図である。
【発明を実施するための形態】
【００２０】
以下、本発明の医療ネットワークシステムについて、図面を参照して説明する。
医療ネットワークシステムは、自動運転車両に乗車する利用者が体調不良等を起こした場合における処置を支援するためのシステムである。医療ネットワークシステムでは、利用者の生体情報を取得し、取得した生体情報をリモート診断医などに提供する。リモート診断医は、提供された利用者の生体情報に基づいて、利用者の体調を判定する。
【００２１】
リモート診断医による判定の結果、利用者が病院に来院すべきと判定したときには、利用者が病院にするための情報を利用者に提供する。また、リモート診断医は、利用者が来院する病院に対して、利用者の生体情報を提供する。これによって、自動運転車両に乗車中の診察が必要な利用者が早期に診察を受けることが可能であるとともに、乗車中でも適切な処置をとることができる。
【００２２】
また、来院までは必要ないが、体調に応じた投薬等が有効である場合には、適切な薬品に関する情報を利用者に提供する。これによって、医師の診断までもは必要ではなく、投薬程度で済ませられる体調であるときに、病院への来院を省くことができる。さらには、投薬すべき薬品の情報を利用者に提供することができる。以下、医療ネットワークシステムの第１実施形態について説明する。なお、医療ネットワークシステムにおける利用者は、自動運転車両に乗車する乗員であり、運転者でもよいし運転者以外の者（同乗者）でもよい。
【００２３】
［第１実施形態］
図１は、第１実施形態の医療ネットワークシステムの構成図である。図１に示すように、医療ネットワークシステムは、例えば、外部端末１００、自動運転車両２００、及び医師端末３００を備える。外部端末１００は、例えばリモート診断医Ｄによって利用される。医師端末３００は、例えば医療機関である病院Ｈに設置されている。なお、第１実施形態では、自動運転車両２００が来院する医療機関である図１に示す病院Ｈはリモート診断医Ｄによって決定される。
【００２４】
外部端末１００及び自動運転車両２００は、無線通信によってネットワークＮＷと接続可能である。また、医師端末３００は、ケーブルを介してネットワークＮＷと接続されている。ネットワークＮＷは、インターネット、ＷＡＮ（Wide Area Network）、ＬＡＮ（Local Area Network）、公衆回線、プロバイダ装置、専用回線、無線基地局などを含む。
【００２５】
外部端末１００は、例えば、スマートフォンやタブレット端末、パーソナルコンピュータなどである。外部端末１００では、医療ネットワークシステムを利用するためのアプリケーションプログラム、或いはブラウザなどが起動し、以下に説明するサービスをサポートする。以下の説明では外部端末１００がスマートフォンであり、アプリケーションプログラム（医療ネットワークアプリ）が起動していることを前提とする。
【００２６】
図２は、外部端末装置の構成図である。図２に示すように、外部端末１００は、タッチパネル（入力部、出力部の一例）１１０、通信部（第２の通信部の一例）１２０、及び制御部１３０を備える。タッチパネル１１０は、利用者であるリモート診断医Ｄの入力操作を受け付ける。入力操作の内容としては、例えば、生体情報を病院Ｈの医師端末３００に送信する指示、病院Ｈの指定、指定した病院の識別情報や所在地などの情報を含む要来院情報を自動運転車両２００の生体情報処理部２４２に送信する指示などがある。タッチパネル１１０は、入力操作に応じた入力情報を制御部１３０に出力する。また、タッチパネル１１０は、通信部１２０によって受信された情報、例えば自動運転車両２００の通信装置２２０により送信される生体情報に基づく情報を表示して出力する。
【００２７】
通信部１２０は、例えば、ネットワークＮＷに接続したり、ネットワークＮＷを介して、自動運転車両２００及び医師端末３００との間で通信したりするための無線通信モジュールである。通信部１２０は、Ｗｉ−Ｆｉ、ＤＳＲＣ（Dedicated Short Range Communications）、Ｂｌｕｅｔｏｏｔｈ（登録商標）、その他の通信規格に基づいて無線通信を行う。通信部１２０は、自動運転車両２００により送信された情報を制御部１３０に出力する。
【００２８】
制御部１３０は、例えば、ＣＰＵ（Central Processing Unit）などのプロセッサが、各種記憶装置に記憶されたプログラムを実行することにより実現される。制御部１３０は、タッチパネル１１０から入力された情報に基づいて、各種演算処理を行う。制御部１３０は、各種演算処理の結果に基づく情報をタッチパネル１１０及び通信部１２０に出力する。通信部１２０は、制御部１３０により出力された情報を、ネットワークＮＷを介して自動運転車両２００や医師端末３００に送信する。
【００２９】
また、外部端末１００は、図示しないスピーカやバイブレータを備えてよい。外部端末１００は、スピーカを介して音声を出力可能である。ここでの音声は、例えば、所定の情報を受信した際に、当該情報を受信した旨や情報の種類などを示すものであってもよいし、受信した情報に応じた所定の機械音などであってもよい。また、バイブレータは、振動することにより、外部端末１００の利用者に対して、情報を受信した旨を報知する。これらの構成を備える外部端末１００は、外部端末処理を実行する。外部端末処理については、後に説明する。
【００３０】
自動運転車両２００は、例えば、一以上の利用者が乗員として乗車可能な車両であり、運転操作を行うことなく走行する機能を有する車両である。図３は、自動運転車両２００の構成図である。図３に示すように、自動運転車両２００は、例えば、外界監視ユニット２１０と、通信装置（第１の通信部の一例）２２０と、ナビゲーション装置２３０と、生体情報取得部２４０と、生体情報処理部２４２と、自動運転制御ユニット（自動運転制御部の一例）２５０と、駆動力出力装置２６０と、ブレーキ装置２６２と、ステアリング装置２６４とを備える。
【００３１】
外界監視ユニット２１０は、例えば、カメラやレーダ、ＬＩＤＡＲ（Light Detectionand Ranging）、これらの出力に基づいてセンサフュージョン処理を行う物体認識装置などを含む。外界監視ユニット２１０は、自動運転車両２００の周辺に存在する物体の種類（特に、車両、歩行者、および自転車）を推定し、その位置や速度の情報とともに自動運転制御ユニット２５０に出力する。
【００３２】
通信装置２２０は、例えば、ネットワークＮＷに接続したり、他車両や歩行者の端末装置などと直接的に通信したりするための無線通信モジュールである。通信装置２２０は、Ｗｉ−Ｆｉ、ＤＳＲＣ（Dedicated Short Range Communications）、Ｂｌｕｅｔｏｏｔｈ（登録商標）、その他の通信規格に基づいて無線通信を行う。通信装置２２０として、用途に応じた複数のものが用意されてもよい。通信装置２２０は、外部端末１００により送信された情報を生体情報処理部２４２に出力する。通信装置２２０は、ナビゲーション装置２３０及び生体情報処理部２４２により出力された情報を、ネットワークＮＷを介して外部端末１００及び医師端末３００に送信する。
【００３３】
ナビゲーション装置２３０は、例えば、ＨＭＩ（Human machine Interface）２３２と、ＧＮＳＳ（Global Navigation Satellite System）受信機２３４と、ナビ制御装置２３６とを備える。ＨＭＩ２３２は、例えば、タッチパネル式ディスプレイ装置やスピーカ、マイクなどを含む。ＧＮＳＳ受信機２３４は、ＧＮＳＳ衛星（例えばＧＰＳ衛星）から到来する電波に基づいて自機の位置（自動運転車両２００の位置）を測位する。ナビ制御装置２３６は、例えば、ＣＰＵ（Central Processing Unit）や各種記憶装置を備え、ナビゲーション装置２３０全体を制御する。
【００３４】
記憶装置には、地図情報（ナビ地図）が格納されている。ナビ地図は、ノードとリンクで道路を表現した地図である。ナビ制御装置２３６は、ＧＮＳＳ受信機２３４によって測位された自動運転車両２００の位置から、ＨＭＩ２３２を用いて指定された目的地までの経路を、ナビ地図を参照して決定する。また、ナビ制御装置２３６は、自動運転車両２００の位置と目的地とを、通信装置２２０を用いてナビゲーションサーバ（不図示）に送信し、ナビゲーションサーバから返信された経路を取得してもよい。なお、経路には、利用者を乗車または降車させるために停止する地点および到達目標時刻の情報が含まれてよい。ナビ制御装置２３６は、上記いずれかの方法で決定した経路の経路情報を通信装置２２０及び自動運転制御ユニット２５０に出力する。
【００３５】
生体情報取得部２４０は、利用者の生体情報を取得する。例えば、生体情報取得部２４０は、自動運転車両に搭載され、利用者を撮影するカメラやマイク、或いは利用者が装着するウェアラブルセンサなどである。また、生体情報取得部２４０が動作して取得する利用者の生体情報としては、例えば、心拍数、脈拍数、体温、呼吸回数、瞳孔の開き具合、呼吸音、心電、筋電、心電や筋電の変化（変位）、血糖値、血中酸素濃度などが挙げられる。これらの項目の計測については、例えば、心電計、筋電計、血糖値測定器、血中酸素濃度計測機など各項目の専用の計測装置を用いてもよい。
【００３６】
生体情報処理部２４２は、ＣＰＵやＭＰＵ（Micro Processing Unit）などの一以上のプロセッサが、各種記憶装置に記憶されたプログラムを実行することで実現される。生体情報処理部２４２は、生体情報取得部２４０に対して生体情報検出指示を出力する。生体情報取得部２４０は、生体情報処理部２４２により出力される生体情報検出指示に応じて、利用者の生体情報を検出する。また、生体情報処理部２４２は、生体情報取得部２４０に生体情報検出指示を出力した際には、自動運転制御ユニット２５０に対して、減速指示を出力する。
【００３７】
生体情報処理部２４２は、生体情報取得部２４０により出力された生体情報を通信装置２２０に出力する。通信装置２２０は、出力された生体情報を外部端末１００に対してネットワークＮＷを介して送信する。生体情報処理の具体的な手順は、後にさらに説明する。外部端末１００では、送信された生体情報を受信する。また、生体情報処理部２４２は、外部端末１００により送信された情報に応じて目的地を設定し、設定した目的地に応じた目的地情報をナビゲーション装置２３０に出力する。
【００３８】
自動運転制御ユニット２５０は、ＣＰＵやＭＰＵなどの一以上のプロセッサと各種記憶装置を備える。自動運転制御ユニット２５０は、ナビゲーション装置２３０により送信された経路情報に基づく経路を走行するように自動運転車両２００を自動的に走行させる自動運転を実行する。自動運転制御ユニット２５０は、例えば、各種イベントを順次実行する。イベントには、一定速度で同じ走行車線を走行する定速走行イベント、前走車両に追従する追従走行イベント、車線変更イベント、合流イベント、分岐イベント、緊急停止イベント、料金所を通過するための料金所イベント、自動運転を終了して手動運転に切り替えるためのハンドオーバイベントなどがある。また、これらのイベントの実行中に、自動運転車両２００の周辺状況（周辺車両や歩行者の存在、道路工事による車線狭窄など）に基づいて、回避のための行動が計画される場合もある。
【００３９】
自動運転制御ユニット２５０は、自動運転車両２００が将来走行する目標軌道を生成する。目標軌道は、例えば、速度要素を含んでいる。例えば、目標軌道は、自動運転車両２００の到達すべき地点（軌道点）を順に並べたものとして表現される。軌道点は、所定の走行距離ごとの自動運転車両２００の到達すべき地点であり、それとは別に、所定のサンプリング時間（例えば０コンマ数［ｓｅｃ］程度）ごとの目標速度および目標加速度が、目標軌道の一部として生成される。また、軌道点は、所定のサンプリング時間ごとの、そのサンプリング時刻における自車両Ｍの到達すべき位置であってもよい。この場合、目標速度や目標加速度の情報は軌道点の間隔で表現される。
【００４０】
自動運転制御ユニット２５０は、生体情報処理部２４２により減速指示が出力された場合に、減速が困難な状況であるか否か判定して、減速が困難な状況、例えば後続車両が近い距離にいるような状況でないときには、減速処理を行う。こうして、自動運転制御ユニット２５０は、減速処理を行うことにより、生体情報取得部２４０が動作している間、自動運転車両２００を停止させまたは徐行させる。また、周囲環境におけるラジオノイズ（電磁波）の影響を受ける可能性がある場合には、自動運転車両２００が別の場所に移動してラジオノイズの影響を避けるようにしてから、生体情報取得部２４０が生体情報を取得するようにしてもよい。このため、例えばＳ／Ｎ比を検出し、Ｓ／Ｎ比が低いときには、Ｓ／Ｎ比が高くなる位置に自動運転車両２００を移動させるようにしてもよい。
【００４１】
駆動力出力装置２６０は、車両が走行するための走行駆動力（トルク）を駆動輪に出力する。駆動力出力装置２６０は、例えば、内燃機関、電動機、および変速機などの組み合わせと、これらを制御するパワーＥＣＵとを備える。パワーＥＣＵは、自動運転制御ユニット２５０から入力される情報、或いは不図示の運転操作子から入力される情報に従って、上記の構成を制御する。
【００４２】
ブレーキ装置２６２は、例えば、ブレーキキャリパーと、ブレーキキャリパーに油圧を伝達するシリンダと、シリンダに油圧を発生させる電動モータと、ブレーキＥＣＵとを備える。ブレーキＥＣＵは、自動運転制御ユニット２５０から入力される情報、或いは運転操作子から入力される情報に従って電動モータを制御し、制動操作に応じたブレーキトルクが各車輪に出力されるようにする。ブレーキ装置２６２は、運転操作子に含まれるブレーキペダルの操作によって発生させた油圧を、マスターシリンダを介してシリンダに伝達する機構をバックアップとして備えてよい。なお、ブレーキ装置２６２は、上記説明した構成に限らず、自動運転制御ユニット２５０から入力される情報に従ってアクチュエータを制御して、マスターシリンダの油圧をシリンダに伝達する電子制御式油圧ブレーキ装置であってもよい。
【００４３】
ステアリング装置２６４は、例えば、ステアリングＥＣＵと、電動モータとを備える。電動モータは、例えば、ラックアンドピニオン機構に力を作用させて転舵輪の向きを変更する。ステアリングＥＣＵは、自動運転制御ユニット２５０から入力される情報、或いは運転操作子から入力される情報に従って、電動モータを駆動し、転舵輪の向きを変更させる。
【００４４】
図１に戻り、医師端末３００は、図示しない通信装置、演算装置、画像表示装置等を備える。医師端末３００は、ネットワークＮＷを介して外部端末１００により送信される生体情報を含む送信情報を通信装置によって受信可能である。また、医師端末３００は、受信した生体情報を画像表示装置に表示可能である。医師端末３００を操作する病院Ｈにおける医師は、外部端末１００により送信された生体情報に基づいて、利用者をさらに精密に診断する二次的な診断の準備を行うことができる。
【００４５】
外部端末１００では、自動運転車両２００における通信装置２２０により送信された生体情報に基づいて、例えば生体情報（或いは生体情報を加工した情報）を含む送信情報を生成する。送信情報には、例えば図４に示すように、「車両ＩＤ」「（自動運転車両２００の）現在位置」「乗員年齢」「乗員性別」「乗車位置」「脈拍数」「心拍数」「体温」の各項目が含まれる。これらの項目のうち、「脈拍数」「心拍数」「体温」「血糖値」、「血中酸素濃度」が生体情報となる。生体情報取得部２４０は、例えば、時系列に沿って利用者の生体情報を取得する。生体情報は、例えば、１２０Ｈｚ以下程度の周波数をもって時系列で利用者の生体情報を取得する。図４に示す送信情報は、時刻ｔ１，ｔ２，ｔ３，ｔ４，ｔ５で計測した生体情報をそれぞれ含む送信情報を示している。外部端末１００は、生成した送信情報を、医師端末３００に対してネットワークＮＷを介して送信する。
【００４６】
次に、第１実施形態の医療ネットワークシステムにおける処理について説明する。医療ネットワークシステムにおける処理には、生体情報処理部２４２で実行される生体情報処理及び外部端末１００で実行される外部端末処理が含まれる。生体情報処理及び外部端末処理は、例えば、自動運転車両２００に乗員が乗車し、設定された目的地に向けて自動運転車両２００が走行している状態で行われる。以下、生体情報処理及び外部端末処理について具体的に説明する。
【００４７】
図５は、生体情報処理の手順の一例を示すフローチャートである。まず、生体情報処理部２４２は、生体情報取得部２４０に乗員の生体情報を取得させる（ステップＳ１１）。生体情報処理部２４２は、例えば一定時間ごとに乗員の生体情報を生体情報取得部２４０に取得させて生体情報処理部２４２に出力させる。生体情報取得部２４０では、例えば、生体情報を時系列で計測した数秒〜数十秒のデータを圧縮して送信するようにしてもよい。データを圧縮して送信するにあたっては、例えば、図４に示す複数の送信情報を圧縮して送信するようにしてもよい。
【００４８】
次に、生体情報処理部２４２は、生体情報取得部２４０により出力された生体情報を外部端末１００に対して通信装置２２０を介して送信する（ステップＳ１２）。次に、生体情報処理部２４２は、外部端末１００により送信される返答情報を受信したか否かを判定する（ステップＳ１３）。その結果、返答情報を受信していないと判定した場合、生体情報処理部２４２は、返答情報を受信するまでステップＳ１３の処理を繰り返す。なお、生体情報処理部２４２は、所定の待機時間、例えば１５分間が経過しても返答情報を受信しない場合、そのままタイムアウトして生体情報処理を終了してもよい。
【００４９】
外部端末１００では、自動運転車両２００の生体情報処理部２４２により送信された生体情報に基づく処理を行い、その結果として返答情報を生体情報処理部２４２に送信する。そこで、生体情報処理部２４２における生体情報処理の説明を続ける前に、外部端末１００における制御部１３０で実行される外部端末処理について説明する。
【００５０】
図６は、外部端末処理の手順の一例を示すフローチャートである。まず、外部端末１００における制御部１３０は、自動運転車両２００の生体情報処理部２４２により送信された生体情報を受信したか否かを判定する（ステップＳ２１）。その結果、生体情報を受信していないと判定した場合、制御部１３０は、生体情報を受信するまでステップＳ２１の処理を繰り返す。
【００５１】
ステップＳ２１において、生体情報を受信したと判定した場合、制御部１３０は、送信された生体情報に基づく画像をタッチパネル１１０に表示させる（ステップＳ２２）。この際に、制御部１３０は、外部端末１００のスピーカから表示音を出力させたり、バイブレータを振動させたりして、生体情報に基づく画像がタッチパネル１１０に表示されたことを外部端末１００の利用者に報知してもよい。
【００５２】
リモート診断医Ｄは、外部端末１００に表示された画像に基づいて乗員の一次的な診断を行う。例えば、リモート診断医Ｄは、脈拍数や心拍数が正常値よりも高かったり、体温が平熱よりも高かったりした場合に、病気の疑いがあり、病院Ｈの来院が必要であるといった一次的な診断を行う。診断を行ったリモート診断医Ｄは、タッチパネル１１０を操作して診断結果を入力する。
【００５３】
続いて、制御部１３０は、リモート診断医Ｄによるタッチパネル１１０の診断結果の入力操作があったか否かを判定する（ステップＳ２３）。その結果、タッチパネル１１０の操作がなかったと判定した場合、制御部１３０は、タッチパネル１１０の操作があるまでステップＳ２３の処理を繰り返す。また、タッチパネル１１０の操作があったと判定した場合、ステップＳ２４に進む。リモート診断医Ｄは、タッチパネル１１０によって、来院の必要性や来院する病院の識別情報や所在地を入力する。病院の識別情報等は、リモート診断医Ｄの経験等によって判定してもよいし、別途病院リストを用意し、この病院リストの中からリモート診断医Ｄが選別して判定してもよい。なお、制御部１３０は、所定の待機時間、例えば１０分間が経過しても入力操作がない場合、そのままタイムアウトして外部端末処理を終了してもよい。
【００５４】
生体情報に基づく一次的な診断は、リモート診断医Ｄが行ってもよいし、その他の看護師やコンサルタントなどの専門家が行ってもよい。また、リモート診断医Ｄを含む医師やその他の専門家などを含めた複数の者で診断を行ってもよいし、診断用プログラムなどを用いて制御部１３０が行ってもよい。制御部１３０が自動的に診断を行う場合には、タッチパネル１１０への入力操作は省略されてもよい。
【００５５】
続いて、制御部１３０は、入力された診断結果を参照し、病院Ｈへの来院が必要か否か（リモート診断医Ｄが病院Ｈへの来院が必要と入力したか否か）を判定する（ステップＳ２４）。その結果、病院Ｈへの来院が必要であると判定した場合、返答情報に、病院Ｈへの来院が必要であることを示す要来院情報を付加する（ステップＳ２５）。次に、制御部１３０は、生体情報を含む情報を医師端末３００に送信する（ステップＳ２６）。そして、制御部１３０は、返答情報を自動運転車両２００の生体情報処理部２４２に送信して（ステップＳ２７）、外部端末処理を終了する。また、病院Ｈへの来院が必要でないと判定した場合、制御部１３０は、返答情報に要来院情報を付加することなく、さらに、生体情報を医師端末３００に送信することなく、返答情報を自動運転車両２００の生体情報処理部２４２に送信する（ステップＳ２７）。こうして、制御部１３０は、外部端末処理を終了する。
【００５６】
図５に示す生体情報処理に戻り、生体情報処理部２４２は、ステップＳ１３において、返答情報を受信したと判定した場合、要来院情報が付加されているか否かを判定する（ステップＳ１４）。その結果、要来院情報が付加されていると判定した場合、生体情報処理部２４２は、目的地を病院Ｈに設定する（ステップＳ１５）。続いて、生体情報処理部２４２は、設定した目的地情報をナビゲーション装置２３０に出力する（ステップＳ１６）。ナビゲーション装置２３０では、目的地が予め設定された目的地から病院Ｈに変更される。ナビゲーション装置２３０では、目的地が変更された旨を音声や画像表示によって乗員に報知してもよい。また、ステップＳ１４において、要来院情報が付加されていないと判定した場合、生体情報処理部２４２は、目的地を変更することなく、そのまま維持する。こうして、生体情報処理部２４２は、生体情報処理を終了する。
【００５７】
このように、第１実施形態の医療ネットワークシステムでは、生体情報取得部２４０で取得した利用者の生体情報をリモート診断医Ｄが所持する外部端末１００に送信する。このため、外部端末１００を所持するリモート診断医Ｄによって生体情報に基づいて一次診断を行うことができるので、利用者の身体状態を迅速かつ十分に取得して伝達することができる。
【００５８】
したがって、利用者は、自らが取るべき適切な処理、例えば病院に行く処置や投薬する処置などの必要性を判定して、自動運転車両に提供することができる。よって、利用者は、リモート診断医Ｄの判定に従うことにより、例えば、自動運転車両２００に乗車中でも病院Ｈに来院するなどの適切な処置を早期にとることができる。
【００５９】
また、第１実施形態の医療ネットワークシステムにおいては、リモート診断医Ｄが外部端末１００のタッチパネル１１０に入力した病院の識別情報または所在地に基づいて、自動運転車両２００の目的地を決定している。このため、リモート診断医Ｄなどの専門家によって入力された情報に基づいて、目的地となる病院を決定できるので、利用者が向かう際に適切な病院を目的地とすることができる。
【００６０】
また、第１実施形態の医療ネットワークシステムにおいて、外部端末１００は、生体情報処理部２４２により送信された生体情報を病院Ｈの医師端末３００に送信している。このため、病院Ｈでは、生体情報を参照することによって、利用者を迎え入れる準備を進めておくことができる。したがって、自動運転車両に乗車中の診察が必要な利用者が早期に診察を受けることが可能となる。
【００６１】
また、第１実施形態の医療ネットワークシステムにおいて、自動運転車両２００における自動運転制御ユニット２５０は、生体情報取得部２４０が利用者の生体情報を取得するための動作しているときには、自動運転車両を停止させ、減速させるようにしている。このため、生体情報取得部２４０による利用者の生体情報の取得中には、自動運転車両２００の走行による振動を少なくすることができる。したがって、生体情報取得部２４０における検出精度を高めることができる。また、生体情報処理部２４２が周囲環境におけるラジオノイズの影響を受ける可能性がある場合に、自動運転車両２００が別の場所に移動することにより、生体情報処理部２４２は、生体情報を確実に取得することができる。
【００６２】
［第２実施形態］
次に、第２実施形態について説明する。第２実施形態では、第１実施形態と異なり、自動運転車両が来院する医療機関として指定されるのは、複数の医療機関の中から選択された医療機関である。図７は、第２実施形態の医療ネットワークシステムの構成図である。図７に示すように、第２実施形態の医療ネットワークシステムは、第１実施形態と同様、外部端末１００及び自動運転車両２００を備える。また、第２実施形態の医療ネットワークシステムは、複数の医師端末３００Ａ，３００Ｂ，３００Ｃ…を備える。医師端末３００Ａ，３００Ｂ，３００Ｃ…は、例えばそれぞれ第１病院ＨＡ，第２病院ＨＢ，第３病院ＨＣ…に設置されている。さらに、第２実施形態の医療ネットワークシステムは、サービスセンターＳに備えられた情報処理装置４００を備える。以下、第１実施形態との相違点を中心として、第２実施形態の医療ネットワークシステムについて説明する。
【００６３】
図７に示すように、第２実施形態の医療ネットワークシステムにおける外部端末１００及び自動運転車両２００は、いずれも第１実施形態と同様の構成を有している。また、複数の医師端末３００Ａ，３００Ｂ，３００Ｃ…は、いずれも第１実施形態の医師端末３００と同様の構成を有する。
【００６４】
情報処理装置４００は、ネットワークＮＷと接続されている。情報処理装置４００は、図示しない通信装置、演算装置、画像表示装置等を備える。情報処理装置４００は、ネットワークＮＷを介して外部端末１００により送信される処置情報を含む送信情報を通信装置によって受信可能である。また、情報処理装置４００は、受信した処置情報を画像表示装置に表示可能である。また、情報処理装置４００は、受信した処置情報に基づいて、病院案内処理を行う。病院案内処理では、自動運転車両２００の走行位置に基づいて、自動運転車両２００の目的地候補となる医療機関を決定し、決定した医療機関の識別情報または所在地を自動運転車両２００の通信装置２２０に送信する。病院案内処理については、後に説明する。
【００６５】
次に、第２実施形態の医療ネットワークシステムにおける処理について説明する。第２実施形態の医療ネットワークシステムにおける処理には、生体情報処理部２４２で実行される生体情報処理、外部端末１００で実行される外部端末処理、及び情報処理装置４００で実行される病院案内処理が含まれる。生体情報処理、外部端末処理、及び病院案内処理は、例えば、自動運転車両２００に乗員が乗車し、設定された目的地に向けて自動運転車両２００が走行している状態で行われる。以下、生体情報処理、外部端末処理、及び病院案内処理について具体的に説明する。
【００６６】
図８は、生体情報処理の手順の一例を示すフローチャートである。まず、生体情報処理部２４２は、上記第１実施形態のステップＳ１１と同様に、生体情報取得部２４０に利用者の生体情報を取得させ（ステップＳ３１）、取得した生体情報を生体情報処理部２４２に出力させる。また、生体情報処理部２４２は、ナビゲーション装置２３０から自動運転車両２００の現在位置に基づく現在地情報を取得する（ステップＳ３１）。
【００６７】
次に、生体情報処理部２４２は、生体情報取得部２４０により出力された生体情報及びナビゲーション装置２３０から取得した現在地情報を、外部端末１００の制御部１３０に対して通信装置２２０を介して送信する（ステップＳ３２）。続いて、生体情報処理部２４２は、サービスセンターＳの情報処理装置４００により送信される返答情報を受信したか否かを判定する（ステップＳ３３）。その結果、返答情報を受信していないと判定した場合、生体情報処理部２４２は、返答情報を受信するまでステップＳ３３の処理を繰り返す。なお、生体情報処理部２４２は、所定の待機時間、例えば１５分間が経過しても返答情報を受信しない場合、そのままタイムアウトして生体情報処理を終了してもよい。
【００６８】
外部端末１００では、自動運転車両２００の生体情報処理部２４２により送信された生体情報に基づく処理を行い、その結果として処置情報をサービスセンターＳの情報処理装置４００に送信する。また、情報処理装置４００は、外部端末１００により送信された処置情報に基づいて、返答情報を生成し、生体情報処理部２４２に送信する。そこで、生体情報処理部２４２における生体情報処理の説明を続ける前に、外部端末１００における制御部１３０で実行される外部端末処理及び情報処理装置４００で実行される病院案内処理について説明する。
【００６９】
図９は、外部端末処理の手順の一例を示すフローチャートである。まず、外部端末１００における制御部１３０は、生体情報を受信したか否かを判定する（ステップＳ５１）。生体情報を受信していないと判定した場合、制御部１３０は、ステップＳ５１の処理を繰り返す。また、生体情報を受信したと判定した場合、制御部１３０は、タッチパネル１１０に生体情報を表示し（ステップＳ５２）、入力操作があったか否かを判定する（ステップＳ５３）。その結果、入力操作がなかったと判定した場合、制御部１３０は、ステップＳ５３の処理を繰り返す。ここまでは、上記第１実施形態におけるステップＳ２１〜ステップＳ２３と同様の処理を実行する。
【００７０】
また、ステップＳ５３において、入力操作があったと判定した場合、制御部１３０は、病院への来院が必要と入力されたか否かをする（ステップＳ５４）。ここでは、外部端末を所持するリモート診断医Ｄは、特定の病院ではなく、いずれかの病院への来院が必要か否か、また、入院の可能性があるなどの緊急度の高い疾病であるか否かを判定して判定結果を入力する。さらには、リモート診断医Ｄは、医療車両である救急車が必要か否かを判定して判定結果を入力する。また、病院の来院までは必要なく、投薬を行うことで十分と判定した場合、リモート診断医Ｄは、投薬で十分である旨及び投薬に適した薬品の種類を入力する。この場合、後に説明するように、ナビゲーション装置（提案部の一例）２３０は、自動運転車両２００の最寄りの医療機関外の施設、例えば薬局を目的地とし、薬局への立ち寄り及び薬品の購入の提案を、ＨＭＩ２３２を用いて利用者に対して実行する。
【００７１】
ステップＳ５４において、来院が必要であると判定した場合、制御部１３０は、処置情報に要来院情報を付加する（ステップＳ５５）。要来院情報には、疾病の緊急度も合わせて付加する。続いて、制御部１３０は、救急車が必要か否かを判定する（ステップＳ５６）。その結果、救急車が必要であると判定した場合、制御部１３０は、処置情報に、救急車が必要であることを示す要救急車情報を付加する（ステップＳ５７）。また、救急車が必要でないと判定した場合、制御部１３０は、要救急車情報を付加することなくステップＳ５８に進む。
【００７２】
その後、制御部１３０は、サービスセンターＳの情報処理装置４００に処置情報を送信する（ステップＳ５８）。ここで、制御部１３０は、生体情報処理部２４２により送信された現在地情報をサービスセンターＳの情報処理装置４００に送信する処置情報に付加する。また、ステップＳ５４において、来院が必要でないと判定した場合、制御部１３０は、病院の来院までは必要なく、投薬で十分であるか否かを判定する（ステップＳ５９）。
【００７３】
その結果、投薬で十分であると判定した場合、制御部１３０は、投薬される薬品の種類に応じた薬品購入情報を処置情報に付加する（ステップＳ６０）。また、投薬の必要もないと判定した場合、制御部１３０は、薬品購入情報などを処置情報に付加することなく、ステップＳ５８に進む。その後、制御部１３０は、処置情報に現在地情報を付加してサービスセンターＳの情報処理装置４００に送信する（ステップＳ５８）。
【００７４】
続いて、制御部１３０は、生体情報処理部２４２により送信される行先病院情報を受信したか否かを判定する（ステップＳ６１）。行先病院情報は、生体情報処理部２４２で決定されて、制御部１３０に送信される。生体情報処理部２４２により送信される行先病院情報を受信していないと判定した場合、制御部１３０は、ステップＳ６１の処理を繰り返す。なお、制御部１３０は、所定の待機時間が経過しても行先病院情報を受信しない場合、そのままタイムアウトして外部端末処理を終了してもよい。
【００７５】
また、生体情報処理部２４２により送信される行先病院情報を受信したと判定した場合、制御部１３０は、ステップＳ５１で受信した生体情報を行先病院の医師端末に送信する（ステップＳ６２）。例えば、第１行先病院が第１病院ＨＡである場合、制御部１３０は、生体情報を医師端末３００Ａに送信する。こうして、制御部１３０は、外部端末処理を終了する。
【００７６】
次に、病院案内処理について説明する。図１０は、病院案内処理の手順の一例を示すフローチャートである。まず、サービスセンターＳにおける情報処理装置４００は、外部端末１００により送信される処置情報を受信したか否かを判定する（ステップＳ７１）。その結果、処置情報を受信していないと判定した場合、情報処理装置４００は、ステップＳ６１の処理を繰り返す。なお、情報処理装置４００は、所定の待機時間が経過しても処置情報を受信しない場合、そのままタイムアウトして病院案内処理を終了してもよい。
【００７７】
また、ステップＳ７１において、外部端末１００により送信される処置情報を受信したと判定した場合、情報処理装置４００は、処置情報に要来院情報が付加されているか否かを判定する（ステップＳ７２）。その結果、処置情報に要来院情報が付加されていると判定した場合、情報処理装置４００は、行先候補病院決定処理を行う（ステップＳ７３）。
【００７８】
情報処理装置４００は、行先候補病院決定処理では、自動運転車両２００の行先の候補となる病院を決定する。情報処理装置４００は、自動運転車両２００や利用者の疾病の緊急度などに応じて自動運転車両２００の行先の候補となる病院を決定することができる。例えば、情報処理装置４００は、外部端末１００により送信された処置情報に付加された現在地情報に基づいて、自動運転車両２００の現在の走行位置を取得し、地理的条件として、取得した自動運転車両２００から半径１０ｋｍ以内にある病院を行先候補として決定することができる。また、情報処理装置４００は、地理的条件の他、自動運転車両２００が例えば２０分以内に到達できる病院といった時間的条件で行先の候補となる病院を決定してもよい。さらに、情報処理装置４００は、行先の候補となる病院を決定する際には、要来院情報に付加される疾病の緊急度も考慮してもよい。例えば、情報処理装置４００は、入院が必要となる可能性があるほど緊急度の高い疾病が利用者に想定される場合には入院施設のある病院を決定し、緊急度の低い疾病が利用者に想定される場合には小規模の病院を決定してもよい。
【００７９】
行先候補病院決定処理を行った結果、情報処理装置４００は、行先候補となる病院があったか否かを判定する（ステップＳ７４）。その結果、行先候補となる病院があったと判定した場合、情報処理装置４００は、要来院情報に行先候補病院情報を付加する（ステップＳ７５）。行先候補病院情報には、図１１に示すように、行先候補となる病院の住所、診療科目、休診日と等の情報が含まれている。また、行先候補となる病院がなかったと判定した場合、情報処理装置４００は、行先候補病院情報を付加することなく、そのままステップＳ７６に進む。
【００８０】
それから、情報処理装置４００は、返答情報に要来院情報を付加する（ステップＳ７６）。続いて、情報処理装置４００は、処置情報に要救急車情報が付加されているか否かを判定する（ステップＳ７７）。その結果、処置情報に要救急車情報が付加されていると判定した場合、情報処理装置４００は、図７に示す救急車ＡＭの出動要請を行う（ステップＳ７８）。救急車ＡＭの出動要請を行う際、情報処理装置４００は、例えば、自動運転車両２００の経路上の所定位置まで救急車ＡＭを移動させる要請情報を送信する。
【００８１】
その後、情報処理装置４００は、返答情報に救急車出動情報を付加する（ステップＳ７９）。その後、情報処理装置４００は、返答情報を自動運転車両２００の生体情報処理部２４２に送信して（ステップＳ８０）、病院案内処理を終了する。また、ステップＳ７７において、処置情報に要救急車情報が付加されていないと判定した場合、情報処理装置４００は、そのままステップＳ８０に進む。そして、情報処理装置４００は、返答情報を自動運転車両２００の生体情報処理部２４２に送信して（ステップＳ８０）、病院案内処理を終了する。
【００８２】
また、ステップＳ７２において、処置情報に要来院情報が付加されていないと判定した場合、情報処理装置４００は、処置情報に薬品購入情報が付加されているか否かを判定する（ステップＳ８１）。その結果、薬品購入情報が付加されていると判定した場合、情報処理装置４００は、返答情報に薬品購入情報を付加して（ステップＳ８２）、ステップＳ８０に進む。また、薬品購入情報が付加されていないと判定した場合、情報処理装置４００は、返答情報に薬品購入情報を付加することなくステップＳ８０に進む。そして、情報処理装置４００は、返答情報を自動運転車両２００の生体情報処理部２４２に送信し（ステップＳ８０）、病院案内処理を終了する。
【００８３】
図８に示す生体情報処理に戻り、生体情報処理部２４２は、ステップＳ３３において、返答情報を受信したと判定した場合、生体情報処理部２４２は、返答情報に要来院情報が付加されているか否かを判定する（ステップＳ３４）。その結果、要来院情報が付加されていないと判定した場合、生体情報処理部２４２は、返答情報に薬品購入情報が付加されているか否かを判定する（ステップＳ３５）。ここで、返答情報に薬品購入情報が付加されていないと判定した場合、生体情報処理部２４２は、そのままステップＳ４２に進む。また、返答情報に薬品購入情報が付加されているとした場合、生体情報処理部２４２は、自動運転車両２００の現在地における最寄りの薬局を目的地として設定する（ステップＳ３６）。また、生体情報処理部２４２は、最寄りの薬局を目的地として設定した際に、薬品購入情報に応じた薬局情報をナビゲーション装置２３０に出力する。ナビゲーション装置２３０は、生体情報処理部２４２により出力された薬局情報に基づく自動運転車両２００の最寄りの薬局に立ち寄り、薬品を購入する旨を、例えばＨＭＩ２３２を用いて利用者に画像表示や音声によって提案する。
【００８４】
例えば、図１２に示すように、自動運転車両２００の周囲に４つの第１薬局ＭＡ〜第４薬局ＭＤが存在する場合には、生体情報処理部２４２は、自動運転車両２００から最寄りの第４薬局ＭＤを目的地とすればよい。また、自動運転車両２００が走行している道路がＵターン禁止等で走行に制約がある場合には、生体情報処理部２４２は、自動運転車両２００から最寄りではないが、走行距離が最も短い第１薬局ＭＡを目的地としてもよい。
【００８５】
また、ステップＳ３４において、返答情報に要来院情報が付加されていると判定した場合、生体情報処理部２４２は、要来院情報に行先候補病院情報が付加されているか否かを判定する（ステップＳ３７）。その結果、要来院情報に行先候補病院情報が付加されていると判定した場合、生体情報処理部２４２は、目的地となる行先病院を決定する（ステップＳ３８）。生体情報処理部２４２は、行先病院を決定するにあたり、行先候補病院情報に含まれる病院の中から、自動運転車両２００の現在地における最寄りの病院を行先病院として決定する。
【００８６】
生体情報処理部２４２は、行先病院を決定したら、決定した行先病院に関する行先病院情報を外部端末１００の制御部１３０に出力する（ステップＳ３９）。外部端末１００の制御部１３０は、図９に示すステップＳ６１からステップＳ６２を実行して、行先病院に生体情報を送信する。
【００８７】
また、ステップＳ３７において、要来院情報に行先候補病院情報が付加されていないと判定した場合、生体情報処理部２４２は、あらかじめ設定された乗員のかかりつけの病院を目的地に設定する（ステップＳ４０）。なお、乗員のかかりつけの病院が設定されていない場合には、自動運転車両２００の現在地における最寄りの病院を目的地として設定してもよい。図１２に示す例では、第１病院ＨＡ〜第４病院ＨＤの４つの病院のうち、第１病院ＨＡが目的地となるようにすればよい。
【００８８】
ステップＳ３６もしくはステップＳ４０で目的地を設定し、またはステップＳ３８で目的地を設定しステップＳ３９で外部端末１００に行先病院情報を出力した後、生体情報処理部２４２は、目的地情報をナビゲーション装置２３０に出力する（ステップＳ４１）。続いて、生体情報処理部２４２は、返答情報に救急車出動情報が付加されているか否かを判定する（ステップＳ４２）。その結果、返答情報に救急車出動情報が付加されていると判定した場合、生体情報処理部２４２は、救急車出動案内を出力する（ステップＳ４３）。生体情報処理部２４２は、例えばナビゲーション装置２３０のＨＭＩ２３２を利用して、救急車を呼んでいる旨を音声出力や画像表示で表して乗員に報知する。こうして、生体情報処理部２４２は、生体情報処理を終了する。また、ステップＳ４２において、返答情報に救急車出動情報が付加されていないと判定した場合、生体情報処理部２４２は、そのまま生体情報処理を終了する。
【００８９】
第２実施形態の医療ネットワークシステムでは、上記第１実施形態の医療ネットワークシステムと同様の作用効果を奏する。また、第２実施形態の医療ネットワークシステムでは、自動運転車両２００の走行位置に基づいて、行先の候補となる病院を自動運転車両２００の通信装置２２０に送信し、行先の候補となる病院の中から目的地を決定している。このため、リモート診断医Ｄなどの専門家によって入力された情報に基づいて、目的地となる病院を決定できるので、利用者が向かう際に適切な病院を目的地とすることができる。また、疾病の緊急度に応じて行先の候補となる病院を通信装置２２０に送信している。このため、疾病の度合いに応じたさらに適切な病院を目的地とすることができる。
【００９０】
また、第２実施形態の医療ネットワークシステムでは、リモート診断医Ｄは、救急車の必要性を判定し、救急車が必要である場合には、サービスセンターＳの情報処理装置４００が救急車の出動要請を行うようにしている。このため、利用者が緊急性の高い疾病状態にあるときに、救急車を早期に出動させることができる。また、救急車は、自動運転車両２００の走行経路に向かうようになっている。このため、自動運転車両２００に対して、さらに早期に救急車を出動させるようにすることができる。
【００９１】
また、第２実施形態の医療ネットワークシステムでは、リモート診断医Ｄが、病院の来院までは必要なく、一般に販売されている薬品の投薬で十分と判定した場合には、ナビゲーション装置２３０は、薬局への立ち寄り及び薬品の購入を提案し、自動運転車両２００は、目的地を最寄りの薬局とするようにしている。このため、医療機関にまで行く必要が乏しい軽度の疾病の場合、薬局等に立ち寄る処置をとることができる。
【００９２】
［第３実施形態］
次に、第３実施形態について説明する。第３実施形態では、第１実施形態と同様、自動運転車両が来院する医療機関は、病院Ｈである。図１３は、第３実施形態の管理システムである医療ネットワークシステムの構成図である。図１３に示すように、第３実施形態の医療ネットワークシステムは、第１実施形態と同様、自動運転車両２００を備える。また、第３実施形態の医療ネットワークシステムは、管理サーバ５００及び施設側端末６００を備える。管理サーバ５００は、サービスセンターＳに設置され、施設側端末６００は、病院Ｈに設置されている。以下、第１実施形態との相違点を中心として、第３実施形態の医療ネットワークシステムについて説明する。
【００９３】
図１４は、第３実施形態の自動運転車両の構成図である。図１４に示すように、自動運転車両２００は、外界監視ユニット４１０、通信部４２０、ナビゲーション装置４３０、生体情報取得部４４０、生体情報処理部４４１、自動運転制御ユニット４５０、駆動力出力部４６０、ブレーキ装置４６２、及びステアリング装置４６４を備えている。
【００９４】
このうち、外界監視ユニット４１０、通信部４２０、ナビゲーション装置４３０、生体情報取得部４４０、自動運転制御ユニット４５０、駆動力出力部４６０、ブレーキ装置４６２及びステアリング装置４６４は、上記第1の実施形態の外界監視ユニット２１０、通信装置２２０、ナビゲーション装置２３０、自動運転制御ユニット２５０、駆動力出力装置２６０、ブレーキ装置２６２及びステアリング装置２６４と同様の構成を有している。
【００９５】
生体情報処理部４４１は、一次属性判定部４４２、連続接続提供部４４４、誘導部４４６、及び属性表示制御部４４８を備えている。このうち、一次属性判定部４４２は、生体情報取得部４４０が取得した利用者の生体情報の一次属性を判定する。一次属性としては、例えば、リモート診断医Ｄが行う診断と同等の判断による判断結果（診断結果）である。例えば、利用者の脈拍数や心拍数が正常値の範囲内にあるか、もしくは正常値の範囲よりも高いか低いかなどを属性として分類する。一次属性判定部４４２は、分類した一次属性を管理サーバ５００に通信部４２０を介して送信する。
【００９６】
連続接続提供部４４４は、生体情報取得部４４０から取得した生体情報を、通信部４２０を介して連続的に管理サーバ５００に生体信号として提供する。連続接続提供部４４４が設けられていることにより、管理サーバ５００は、利用者の生体情報を時系列で取得し生体情報の計時的な変化を取得できる。
【００９７】
誘導部４４６は、各種情報に基づいて、自動運転車両２００が移動する際の経由地を設定したり、必要に応じた車両要請判定を行ったりする。誘導部４４６は、設定した経由地をナビゲーション装置４３０に出力する。ナビゲーション装置４３０は、出力された経由地に沿った走行のための情報を自動運転制御ユニット４５０に出力する。また、誘導部４４６は、車両要請を行う場合には、通信部４２０を介して管理サーバ５００に車両要請信号を送信する。
【００９８】
属性表示制御部４４８は、一次属性判定部４４２が判定した生体情報の特性や、管理サーバ５００から送信される各種情報などの表示を表示する。また、生体情報処理部４４１は、第１実施形態における生体情報取得部２４０と同等の機能も備えている。
【００９９】
図１５は、第３実施形態の管理サーバの構成図である。図１５に示すように、管理サーバ５００は、通信部５１０、応答生成部５２０、利用者情報取得部５３０、連続受信判定部５４０、施設利用可否判定部５５０、照会信号生成部５６０、記憶部５７０、及び接続許可部５８０を備えている。
【０１００】
応答生成部５２０は、属性付与判定部５２１及び追加属性付与判定部５２２を備えている。記憶部５７０は、生体履歴情報５７１、施設情報５７２、利用者情報５７３、共有生体情報５７４を記憶している。
【０１０１】
通信部５１０は、管理サーバ５００から見た外部の機器、例えば、自動運転車両２００や施設側端末６００との間で情報（信号）の送受信を行う。通信部５１０は、例えば、自動運転車両２００から送信される生体信号を受信し、応答信号を自動運転車両に送信する。応答信号には、属性情報、病院などの施設の位置を示す位置情報が含まれる。また、通信部５１０は、対応可能属性情報に応じた施設側端末６００に照会信号を送信し、施設側端末６００から送信される施設情報及び追加属性情報を受信する。通信部５１０は、施設側端末６００に照会信号を送信した後、追加情報取得要求に応じて、生体履歴情報を施設側端末６００に送信する。生体履歴情報を送信する場合には、例えば生体履歴情報を圧縮して送信する。
【０１０２】
応答生成部５２０における属性付与判定部５２１は、自動運転車両２００から送信される生体信号に対して、生体履歴情報５７１等を参照して二次属性を付与した生体情報を生成する。二次属性情報を含む属性情報は、生体情報に付与されて、応答信号として通信部５１０を介して自動運転車両２００に送信される。
【０１０３】
追加属性付与判定部５２２は、施設側端末６００から送信される三次判定の結果に基づく追加属性情報を属性情報に付与する。追加属性情報は、追加診断の要否となる追加診断要否情報を含む。追加属性付与判定部５２２は、追加属性情報を付与した属性情報を自動運転車両２００に通信部５１０を介して送信する。
【０１０４】
利用者情報取得部５３０は、記憶部５７０に記憶されている利用者情報を参照し、自動運転車両２００を利用する利用者に関する情報を取得する。利用者情報取得部５３０は、取得した利用者情報によって、自動運転車両２００の利用者を判定する。
【０１０５】
連続受信判定部５４０は、自動運転車両２００から連続的に送信される生体信号を受信する連続接続の可否を判定する。連続受信判定部５４０は、連続接続が可能であるときには、通信部５１０を介して、自動運転車両２００に連続接続判定認証情報を送信する。また、連続受信判定部５４０は、連続受信可能であるときには、受信した生体情報を共有生体情報５７４として記憶部５７０に記憶させる。連続受信判定部５４０は、信号変換部となる。なお、信号変換部は、連続受信判定部５４０とは別個に設けてもよい。
【０１０６】
施設利用可否判定部５５０は、記憶部５７０に記憶されている施設情報を参照し、属性情報に含まれる診断の内容に応じた施設（医療機関）を判定する。施設利用可否判定部５５０は、施設からの利用可否情報に基づいて当該施設の利用可否を判定し、利用可能な施設についての施設情報を、通信部５１０を介して、自動運転車両２００に送信する。
【０１０７】
照会信号生成部５６０は、利用可否を施設に問い合わせるための照会信号を生成し、通信部５１０を介して、施設側端末６００に送信する。照会信号生成部５６０から照会信号を送信すると、施設から利用可否情報が返信される。施設利用可否判定部５５０は、返信された利用可否情報に基づいて当該施設の利用可否を判定する。
【０１０８】
記憶部５７０が記憶する生体履歴情報５７１は、利用者が過去に取得し、管理サーバ５００に送信した生体情報の履歴である。記憶部５７０における生体履歴情報５７１を記憶する部分は、信号保持部となる。施設情報５７２は、管理サーバが管轄する領域内における施設に関する情報である。施設情報には、その施設の位置情報や対応可能属性情報が含まれる。利用者情報５７３は、例えば、管理サーバに登録済の利用者の関する情報である。共有生体情報５７４は、ＡＰＩ（Application Programming Interface）を介して得られる情報であり、利用者の生体情報である。共有生体情報５７４は、自動運転車両２００の利用者のみならず、他の外部機器、例えば施設側端末６００とも共有可能な生体情報である。
【０１０９】
接続許可部５８０は、自動運転車両２００の通信部５１０を介した管理サーバ５００における共有生体情報５７４の格納部との接続の可否を判定する。例えば、接続許可部５８０は、あらかじめ管理サーバ５００に登録されている自動運転車両２００について、管理サーバ５００における共有生体情報５７４の格納部との接続を許可する。
【０１１０】
施設側端末６００は、追加属性を付与する付与部を備える。施設側端末６００は、管理サーバ５００から送信される照会信号を受信した後、追加情報取得要求に応じて送信される生体履歴情報を参照して、追加診断の要否を判断する。施設側端末６００は、追加診断が必要であるときに、追加属性情報を送信する。
【０１１１】
図１６は、第３実施形態の医療ネットワークシステムにより実行される処理を示すシーケンス図である。図１４及び図１５に示す自動運転車両２００と管理サーバ５００との接続は、管理サーバ５００における接続許可部５８０において、自動運転車両２００との接続が許可された後に開始される。
【０１１２】
図１６に示すように、自動運転車両２００は、生体情報取得部４４０において生体信号を取得し（ステップＳ４０２）、一次属性判定部４４２において一次属性を判定する（ステップＳ４０４）。次に、自動運転車両２００は、一次判定を行った生体信号を管理サーバ５００に送信する（ステップＳ４０６）。
【０１１３】
管理サーバ５００は、送信された生体信号を受信して記録する（ステップＳ４０８）。続いて、管理サーバ５００は、生体信号に属性情報を付与する（ステップＳ４１０）。ここでの属性情報は、管理サーバ５００における属性付与判定部５２１の判定に基づく二次属性の判定結果を付与する。
【０１１４】
次に、管理サーバ５００は、施設情報の照会を行う（ステップＳ４１２）。管理サーバ５００は、施設情報の照会を行うにあたり、一次属性及び二次属性が付与された生体信号に応じた施設の照会を行う。例えば、管理サーバ５００は、記憶部５７０に記憶される施設情報５７２を参照し、生体信号に付された一次情報や二次情報に対応する対応可能属性情報に応じた施設を検索する。続いて、管理サーバ５００は、検索した施設に対して照会信号を送信する（ステップＳ４１４）。照会信号には、生体信号及び属性情報が含まれる。
【０１１５】
施設側端末６００は、送信された照会信号を受信し（ステップＳ４１６）、追加情報の取得要求を行う（ステップＳ４１８）。続いて、管理サーバ５００の接続許可部５８０は、連続接続可否判定を行い（ステップＳ４２０）、連続接続可能であるときに連続接続判定認証情報を自動運転車両２００及び施設側端末６００に送信する。こうして、管理サーバ５００は、自動運転車両２００及び施設側端末６００との間で相互認証を行う。
【０１１６】
自動運転車両２００は、送信された連続接続判定認証情報を受信し（ステップＳ４２２）、連続接続を開始する（ステップＳ４２４）。自動運転車両２００は、連続接続を開始することにより、生体情報及び一次属性の判定結果を管理サーバ５００及び施設側端末６００に連続送信する（ステップＳ４２４）。
【０１１７】
次に、施設側端末６００は、ＡＰＩを経由して得られた共有生体情報５７４からデータを読み込み（ステップＳ４２６）、生体信号を表示する（ステップＳ４２８）。続いて、施設側端末６００は、管理サーバ５００から送信される生体履歴情報を参照して追加診断の要否を判断する。ここで、追加診断が必要と判断したときに、追加属性情報を生体情報に付与する（ステップＳ４３０）。さらに、施設側端末６００は、施設利用可否判定を行い（ステップＳ４３２）、施設利用可否判定の結果及び追加属性情報が付加された生体信号を管理サーバ５００に送信する。
【０１１８】
管理サーバ５００は、生体信号に付加された属性情報（一次属性から三次属性）及び対応可能施設の位置を示す位置情報を含む応答信号を自動運転車両２００に送信する（ステップＳ４３４）。続いて、自動運転車両２００は、送信された属性情報を利用者に通知し、表示する（ステップＳ４３６）。さらに、自動運転車両２００は、施設利用可否情報を参照して経由地を選択し、経由地の設定を行う（ステップＳ４３８）。その後、自動運転車両２００は、車両要請判定を行い（ステップＳ４４０）、車両要請を行う場合には、誘導部４４６は、車両要請信号を管理サーバ５００に送信し、救急車などの緊急車両（他の車両）を自動運転車両２００の経路に誘導する。そして、自動運転車両２００は、自動運転制御を開始する（ステップＳ４４２）。また、管理サーバ５００では、車両要請信号を受信したときには、受信した経路に車両を派遣する要請を行う（ステップＳ４４４）。
【０１１９】
以上説明した第３実施形態の医療ネットワークシステムでは、自動運転車両２００は、生体情報を管理サーバ５００に送信するとともに、管理サーバ５００から受信する属性情報に基づく経路情報に応じた自動運転を実行する。このため、利用者の生体情報に基づいて、利用者がとる処置、例えば病院に行く処置や投薬する処置などの必要性を判定して、利用者の生体情報に応じて移動できる。したがって、利用者の身体状態を迅速かつ十分に取得して伝達することができる。
【０１２０】
以上、本発明を実施するための形態について実施形態を用いて説明したが、本発明はこうした実施形態に何等限定されるものではなく、本発明の要旨を逸脱しない範囲内において種々の変形及び置換を加えることができる。例えば、上記の第２実施形態では、リモート診断医ＤとサービスセンターＳとは別個の位置に配置されているが、リモート診断医ＤがサービスセンターＳに滞在するようにしてもよい。この場合、情報処理装置４００が外部端末を兼ねる構成としてもよい。
【０１２１】
また、上記第２実施形態においては、情報処理装置４００が自動運転車両２００の行先の候補を決定するようにしているが、他の態様で自動運転車両２００の行先の候補を決定するようにしてもよい。例えば、リモート診断医Ｄが外部端末１００に行先の候補となる病院を入力し、入力した行先の候補を生体情報処理部２４２に送信するようにしてもよい。また、外部端末１００の制御部１３０又は情報処理装置４００等が、医師の往診を依頼したり、医師宅を行先の候補にしたりしてもよい。
【０１２２】
また、上記第１実施形態では、リモート診断医Ｄは、病院への来院への必要性を判定しているが、第２実施形態と同様に、救急車の出動要請の判定、病院への来院を行うことのない薬局への立ち寄りの判定等を行うようにしてもよい。これらの場合、外部端末１００は、第２実施形態における情報処理装置４００のように、救急車の出動要請を行って、通信部１２０が要請情報を送信したり、生体情報処理部２４２へ送信する返答情報に薬品購入情報及び救急車出動情報を付加したりすればよい。
【０１２３】
また、外部端末１００は、生体情報を受信し、自動運転車両２００の生体情報処理部２４２に返答情報を送信するに当たり、利用者の関係者の利用する端末に返答情報に対応する情報としての利用者情報を通知するようにしてもよい。利用者関係者には、例えば利用者の親兄弟などの家族、叔父、叔母、祖父母などの親せき、友人、同僚等、さらに利用者が子供である場合には、利用者が通う幼稚園や保育園、学校等が挙げられる。また、利用関係者は、例えば予め利用者ごとに外部端末１００等に登録されているようにしてもよい。また、利用者情報には、返答情報に付加される要来院情報で示される医療機関や薬品購入情報で示される薬局の関する情報が含まれていればよい。また、所定の条件を満たすとき、例えば要来院情報が含まれているときなどに限って利用者関係者に利用者情報を通知するようにしてもよい。これらの利用者情報を利用者の関係者に通知することにより、利用者の状態を早期に関係者に知らせることができる。利用者情報の通知の態様は特に限定されず、例えば、通信部１２０を介した通信によってもよいし、電話などの手動による通知であってもよい。
【０１２４】
また、外部端末１００には、利用者情報の通知の要否を設定する通知要否設定部が設けられていてもよい。通知要否設定部が設けられていることにより、外部端末１００は、不要な通知を行わないようにすることができる。通知要否設定部に対する設定の操作は、例えば、利用者が行えるようにしてもよいし、利用者の関係者が行えるようにしてもよい。あるいは、利用者や利用者の関係者以外の者が行えるようにしてもよい。
【０１２５】
また、上記第１実施形態では自動運転車両２００の目的地となる医療機関（病院）をリモート診断医Ｄが決定し、第２実施形態で目的地の候補を情報処理装置４００が決定し、目的地または目的地の候補を自動運転車両２００の生体情報処理部２４２が決定しているが、自動運転車両２００の目的地または目的地の候補を他の態様で決定してもよい。例えば、目的地となる医療機関（病院）が予め定められており、返答情報に要来院情報が付加されていれば、定められた病院を目的地としてもよい。また、情報処理装置４００が目的地の候補を決定する代わりに、目的地を決定するようにしてもよい。また、自動運転車両２００の利用者がリモート診断医Ｄ等が決定した目的地を拒否したときには、再度目的地となる医療機関を決定し直すようにしてもよい。
【０１２６】
また、上記実施形態では、外部端末１００は、生体情報処理部２４２により送信された生体情報を、目的地となる病院の医師端末３００（３００Ａ，３００Ｂ，…）に送信するが、他の態様としてもよい。例えば、外部端末１００は、目的地の医療機関が決定される前に、目的地の候補となりえる複数の医療機関の医師端末に生体情報を送信してもよいし、これらの中からさらに絞った範囲の医療機関の医師端末に生体情報を送信してもよい。
【０１２７】
また、上記実施形態では、生体情報を取得される利用者は、自動運転車両２００の運転者または運転者以外の乗員（同乗者）であるが、利用者は、運転者及び同乗者のいずれか一方でもよいし、両方でもよい。また、運転者の生体情報を取得するモードと、同乗者の生体情報を取得するモードの２つのモードを有しており、一方のモードが作動しているときに他方のモードが停止するようにしてもよい。
【０１２８】
また、医療ネットワークシステムは、生体情報取得部２４０で生体情報を取得しているときの利用者の状況を撮像するカメラを有し、このカメラによって生体情報の取得状況を記録しておいてもよい。また、第２実施形態において、サービスセンターＳで行先の候補を決定する場合に、サービスセンターＳは、複数の医療機関に対して患者の受け入れが可能であるかを問い合わせ、受け入れを拒否した医療機関を行先の候補から除くようにしてもよい。また、サービスセンターＳは、各医療機関の受け入れ可否の対応履歴により、医療機関に対するサービスに制限を設けるようにしてもよい。
【符号の説明】
【０１２９】
１００  外部端末
１１０  タッチパネル
１２０  通信部
１３０  制御部
２００  自動運転車両
２１０  外界監視ユニット
２２０  通信装置
２３０  ナビゲーション装置
２３２  ＨＭＩ
２３４  ＧＮＳＳ受信機
２３６  ナビ制御装置
２４０  生体情報取得部
２４２  生体情報処理部
２５０  自動運転制御ユニット
２６０  駆動力出力装置
２６２  ブレーキ装置
２６４  ステアリング装置
３００  医師端末
４００  情報処理装置
ＡＭ    救急車
Ｄ      リモート診断医
Ｈ      病院
ＮＷ    ネットワーク
Ｓ      サービスセンター
【図１】
2018230584.tif 000003
【図２】
2018230584.tif 000004
【図３】
2018230584.tif 000005
【図４】
2018230584.tif 000006
【図５】
2018230584.tif 000007
【図６】
2018230584.tif 000008
【図７】
2018230584.tif 000009
【図８】
2018230584.tif 000010
【図９】
2018230584.tif 000011
【図１０】
2018230584.tif 000012
【図１１】
2018230584.tif 000013
【図１２】
2018230584.tif 000014
【図１３】
2018230584.tif 000015
【図１４】
2018230584.tif 000016
【図１５】
2018230584.tif 000017
【図１６】
2018230584.tif 000018
【国際調査報告】
2018230584.tif 000019
2018230584.tif 000020
2018230584.tif 000021
2018230584.tif 000022